(57)【要約】【課題】被加熱物の位置、大きさ、数量に合わせて、誘導加熱部の位置、大きさ、数量の少なくともいずれかを調整することができるだけでなく、誘導加熱部と操作部の対応関係を明確にした電磁調理器を提供すること。【解決手段】通電可能な加熱コイル７と通電不可能な加熱コイル７を選定する情報と、かつ、通電可能と選定された加熱コイルに指示を入力可能とする複数の加熱操作部を選定する情報からなる加熱コイルパターン情報を選択手段１５で選択し、制御部６は、選択手段１５で選択した加熱コイルパターン情報で通電可能とされた加熱コイル７の制御を選択手段で選択した加熱コイルパターン情報で指示の入力可能とされた加熱操作部の操作内容に基づいて行うことにより、誘導加熱部の位置、大きさ、数量の少なくともいずれかを調整することができるだけでなく、誘導加熱部と操作部の対応関係を明確にすることができる。【選択図】図１
2011003491.tif 000002
【特許請求の範囲】
【請求項１】
被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、
２口以上の誘導加熱部の位置を調整するために、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部と、
前記情報記憶部に記憶した複数の前記加熱コイルパターン情報から１つの前記加熱コイルパターン情報を選択する選択手段とを備え、
前記制御部は、前記選択手段で選択した加熱コイルパターン情報で通電可能とされた加熱コイルの制御を、前記選択手段で選択した加熱コイルパターン情報で指示の入力可能とされた加熱操作部の操作内容に基づいて行い、前記トッププレート上に加熱可能領域と、加熱不可能領域を形成する電磁調理器。
【請求項２】
被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、
２口以上の誘導加熱部の大きさを調整するために、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部と、
前記情報記憶部に記憶した複数の前記加熱コイルパターン情報から１つの前記加熱コイルパターン情報を選択する選択手段とを備え、
前記制御部は、前記選択手段で選択した加熱コイルパターン情報で通電可能とされた加熱コイルの制御を、前記選択手段で選択した加熱コイルパターン情報で指示の入力可能とされた加熱操作部の操作内容に基づいて行い、前記トッププレート上に加熱可能領域と、加熱不可能領域を形成する電磁調理器。
【請求項３】
被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、
誘導加熱部の数量を調整するために、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部と、
前記情報記憶部に記憶した複数の前記加熱コイルパターン情報から１つの前記加熱コイルパターン情報を選択する選択手段とを備え、
前記制御部は、前記選択手段で選択した加熱コイルパターン情報で通電可能とされた加熱コイルの制御を、前記選択手段で選択した加熱コイルパターン情報で指示の入力可能とされた加熱操作部の操作内容に基づいて行い、前記トッププレート上に加熱可能領域と、加熱不可能領域を形成する電磁調理器。
【請求項４】
１つの加熱操作部で指示の入力可能とされた加熱コイルを略同時に加熱動作または停止するように、前記制御部は、前記インバータ部を制御する請求項１〜３のいずれか１項に記載の電磁調理器。
【請求項５】
情報記憶部は、１口の誘導加熱部を形成するために、全ての加熱コイルを通電可能と選定する情報と、全ての加熱コイルに指示を入力可能とする１つの加熱操作部を選定する情報からなる加熱コイルパターン情報をさらに記憶した請求項１〜４のいずれか１項に記載の電磁調理器。
【請求項６】
情報記憶部は、１口の誘導加熱部を形成するために、複数の加熱コイルのうち、通電可能な加熱コイルと通電不可能な加熱コイルを選定する情報と、通電可能な加熱コイルに指示を入力可能とする１つの加熱操作部を選定する情報からなる加熱コイルパターン情報をさらに記憶した請求項１〜５のいずれか１項に記載の電磁調理器。
【請求項７】
複数の選択手段を備え、前記情報記憶部には、前記複数の選択手段と加熱コイルパターン情報の対応関係情報が記憶されており、前記選択手段を操作することにより、前記選択手段に対応する１つの加熱コイルパターン情報を選択するとした請求項１〜６のいずれか１項に記載の電磁調理器。
【請求項８】
１つの選択手段を操作するごとに、前記選択する加熱コイルパターン情報を切り替えるとした請求項１〜６のいずれか１項に記載の電磁調理器。
【請求項９】
インバータ部が停止している時のみ選択手段を操作可能とした請求項１〜８のいずれか１項に記載の電磁調理器。
【請求項１０】
電源投入後の所定の時間の間のみ、選択手段の操作を有効とした請求項１〜８のいずれか１項に記載の電磁調理器。
【請求項１１】
光表示手段を備え、前記光表示手段によりトッププレート上の加熱可能領域を表示する請求項１〜１０のいずれか１項に記載の電磁調理器。
【発明の詳細な説明】
【技術分野】
【０００１】
本発明は、一般家庭やオフィス、レストランなどで使用される電磁調理器に関するものである。
【背景技術】
【０００２】
従来、この種の電磁調理器は、１つの被加熱物に対して渦巻き形に形成された１つの加熱コイルを備え、１つの加熱コイルを高周波インバータで駆動・制御することで火力調節を行うものがある（例えば、特許文献１参照）。
【０００３】
また、加熱面積が大小２種類の被加熱物に対応するように分割した加熱コイルを設け、大小の被加熱物を選択する操作キーの操作内容に応じて、被加熱物の大小に合わせた加熱を行うものも知られている（例えば、特許文献２参照）。
【先行技術文献】
【特許文献】
【０００４】
【特許文献１】特開２００４−０３１２４７号公報
【特許文献２】特開平５−４７４６３号公報
【発明の概要】
【発明が解決しようとする課題】
【０００５】
しかしながら、特許文献１に記載の従来の構成では、加熱コイルと被加熱物の大きさが異なると、漏洩磁束が増加して加熱効率が低下したり、加熱分布が偏り調理性能が低下したりするため、被加熱物の大きさが制限されるという課題を有していた。
【０００６】
また、特許文献２に記載の従来の構成では、大小２種類の被加熱物に対応するように分割した加熱コイルを設け、大小の被加熱物を選択する操作キーで加熱面積を選択できるが、小の被加熱物を加熱するとき、もう一方の加熱コイルは無駄になってしまう。
【０００７】
そのため、この従来技術を加熱口が多数ある多口の電磁調理器に用いると、一方は大小の被加熱物を選択できる代わりに、もう一方は加熱コイルの設置スペースが確保出来なくなり、小の被加熱物しか加熱できなくなるといった課題を有している。
【０００８】
本発明は、前記従来の課題を解決するもので、被加熱物の位置、大きさ、数量の少なくともいずれかに合わせて、誘導加熱部の位置、大きさ、数量の少なくともいずれかを調整することができるだけでなく、誘導加熱部と操作部の対応関係を明確にした電磁調理器を提供することを目的とする。
【課題を解決するための手段】
【０００９】
従来の課題を解決するために、本発明の電磁調理器は、被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、２口以上の誘導加熱部の位置を調整するために、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部と、前記情報記憶部に記憶した複数の前記加熱コイルパターン情報から１つの前記加熱コイルパターン情報を選択する選択手段と
を備え、前記制御部は、前記選択手段で選択した加熱コイルパターン情報で通電可能とされた加熱コイルの制御を前記選択手段で選択した加熱コイルパターン情報で指示の入力可能とされた加熱操作部の操作内容に基づいて行い、前記トッププレート上に加熱可能領域と、加熱不可能領域を形成したものである。
【００１０】
これによって、誘導加熱部の位置を調整することができるだけでなく、誘導加熱部と操作部の対応関係を明確にすることができる。
【発明の効果】
【００１１】
本発明の電磁調理器は、通電可能な加熱コイルと通電不可能な加熱コイルの組合せパターンを選択手段で選択することが可能となり、誘導加熱部の位置を調整することができるだけでなく、誘導加熱部と操作部の対応関係を明確にすることができる。
【図面の簡単な説明】
【００１２】
【図１】本発明の実施の形態１における電磁調理器の外観図
【図２】本発明の実施の形態１における電磁調理器の回路ブロック図
【図３】本発明の実施の形態１における電磁調理器の光表示手段の構成図
【図４】本発明の実施の形態１における電磁調理器のインバータ部の回路図
【図５】本発明の実施の形態１における電磁調理器の加熱操作部の構成図
【図６】本発明の実施の形態１における電磁調理器の複数の加熱コイル７と、トッププレート１０上に形成した加熱可能領域、加熱不可能領域の関係図
【図７】本発明の実施の形態１における電磁調理器の情報記憶部の記憶データを示す図
【図８】本発明の実施の形態１における電磁調理器の加熱可能領域のパターンの変換図
【図９】本発明の実施の形態１における電磁調理器の加熱可能領域Ａ２７の下方に位置する９個の加熱コイルの電流波形図
【図１０】本発明の実施の形態１における電磁調理器の加熱可能領域Ｃ２９の下方に位置する４個の加熱コイルの電流波形図
【図１１】本発明の他の実施の形態を示す図
【図１２】本発明の他の実施の形態を示す図
【図１３】本発明の他の実施の形態を示す図
【図１４】本発明の他の実施の形態を示す図
【図１５】本発明の他の実施の形態を示す図
【図１６】本発明の他の実施の形態を示す図
【発明を実施するための形態】
【００１３】
第１の発明は、被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、２口以上の誘導加熱部の位置を調整するために、複数の加熱コイルのうち、通電可能な加熱コイルと通電不可能な加熱コイルを選定する情報と、、かつ、通電可能と選定された加熱コイルに指示を入力可能とする複数の加熱操作部を選定する情報からなる加熱コイルパターン情報を記憶した情報記憶部と、前記情報記憶部に記憶した複数の前記加熱コイルパターン情報から１つの前記加熱コイルパターン情報を選択する選択手段とを備え、前記制御部は、前記選択手段で選択した加熱コイルパターン情報で通電可能とされた加熱コイルの制御を前記選択手段で選択した加熱コイルパターン情報で指示の入力可能とされた加熱操作部の操作内容に基づいて行い、前記トッププレート上に加熱可能領域と、加熱不可能領域を形成することにより、２口以上の誘導加熱部の位置を調整することができるだけでなく、誘導加熱部と操
作部の対応関係を明確にすることができる。
【００１４】
また、誘導加熱部の位置を調整することにより、使用者が調整した加熱可能領域に加熱する被加熱物を置くことで、使用者が使いやすい位置で加熱することができるようになるだけでなく、使用者が調整した加熱不可能領域に加熱しない被加熱物を退避させることで、使用者の意向に反して鍋が加熱されてしまい、調理の失敗や空焼きによる発火など不安全になることを防ぐことが可能となり、使い勝手と安全性を向上させることができる。
【００１５】
第２の発明は、被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、２口以上の誘導加熱部の大きさを調整するために、複数の加熱コイルのうち、通電可能な加熱コイルと通電不可能な加熱コイルを選定する情報、かつ、通電可能と選定された加熱コイルに指示を入力可能とする複数の加熱操作部を選定する情報からなる加熱コイルパターン情報を記憶した情報記憶部と、前記情報記憶部に記憶した複数の前記加熱コイルパターン情報から１つの前記加熱コイルパターン情報を選択する選択手段とを備え、前記制御部は、前記選択手段で選択した加熱コイルパターン情報で通電可能とされた加熱コイルの制御を前記選択手段で選択した加熱コイルパターン情報で指示の入力可能とされた加熱操作部の操作内容に基づいて行い、前記トッププレート上に加熱可能領域と、加熱不可能領域を形成することにより、２口以上の誘導加熱部の大きさを調整することができるだけでなく、誘導加熱部と操作部の対応関係を明確にすることができる。
【００１６】
また、誘導加熱部の大きさを調整することにより、使用者が調整した加熱可能領域に加熱する被加熱物を置くことで、使用者が使いたい被加熱物の大きさに合わせて加熱することができるようになるだけでなく、使用者が調整した加熱不可能領域に加熱しない被加熱物を退避させることで、使用者の意向に反して鍋が加熱されてしまい、調理の失敗や空焼きによる発火など不安全になることを防ぐことが可能となり、使い勝手と安全性を向上させることができる。
【００１７】
第３の発明は、被加熱物を載置するトッププレートと、略同一平面状に配置された複数の加熱コイルと、前記加熱コイルの加熱の開始や停止や火力設定などの指示を入力する複数の加熱操作部と、前記複数の加熱コイルを制御するインバータ部と、前記加熱操作部に入力された指示に基づき、前記インバータ部を制御する制御部と、誘導加熱部の数量を調整するために、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部と、前記情報記憶部に記憶した複数の前記加熱コイルパターン情報から１つの前記加熱コイルパターン情報を選択する選択手段とを備え、前記制御部は、前記選択手段で選択した加熱コイルパターン情報で通電可能とされた加熱コイルの制御を前記選択手段で選択した加熱コイルパターン情報で指示の入力可能とされた加熱操作部の操作内容に基づいて行い、前記トッププレート上に加熱可能領域と、加熱不可能領域を形成することにより、誘導加熱部の数量を調整することができるだけでなく、誘導加熱部と操作部の対応関係を明確にすることができる。
【００１８】
また、誘導加熱部の数量を調整することにより、使用者が調整した加熱可能領域に加熱する被加熱物を置くことで、使用者が使いたい被加熱物の数量に合わせて加熱することができるようになるだけでなく、使用者が調整した加熱不可能領域に加熱しない被加熱物を退避させることで、使用者の意向に反して鍋が加熱されてしまい、調理の失敗や空焼きによる発火など不安全になることを防ぐことが可能となり、使い勝手と安全性を向上させる
ことができる。
【００１９】
第４の発明は、特に、第１〜３のいずれか１つの発明の電磁調理器において、１つの加熱操作部で指示の入力可能とされた加熱コイルを略同時に加熱動作または停止するように、前記制御部は、前記インバータ部を制御することにより、複数の加熱コイルを１つの誘導加熱部として加熱動作させることが可能となり、使用者が複数の加熱コイルそれぞれを操作する必要がなくなり、操作回数を減らして使いやすい調理器を供給することができる。
【００２０】
第５の発明は、特に、第１〜４のいずれか１つの発明の電磁調理器において、情報記憶部は、１口の誘導加熱部を形成するために、全ての加熱コイルを通電可能と選定する情報と、全ての加熱コイルに指示を入力可能とする１つの加熱操作部を選定する情報からなる加熱コイルパターン情報をさらに記憶したことにより、被加熱物が載置されるトッププレートの全面を加熱可能領域とすることが可能となり、大きい加熱面積が必要な調理メニュー（例えば、鉄板焼きなど）でも被加熱物の底面を均一に加熱することができるようになり、調理性能を向上することができる。
【００２１】
第６の発明は、特に、第１〜５のいずれか１つの発明の電磁調理器において、情報記憶部は、１口の誘導加熱部を形成するために、複数の加熱コイルのうち、通電可能な加熱コイルと通電不可能な加熱コイルを選定する情報と、通電可能な加熱コイルに指示を入力可能とする１つの加熱操作部を選定する情報からなる加熱コイルパターン情報をさらに記憶したことにより、加熱可能領域を大きくすることが可能となり、大きい加熱面積が必要な調理メニュー（例えば、鉄板焼きなど）でも被加熱物の底面を均一に加熱できるようになり、調理性能を向上することができるだけでなく、加熱不可能領域に加熱したくない鍋、フタ、ナイフなどを置くことができるようになり、使い勝手の向上と使用者の意向に反して鍋が加熱されてしまい、空焼きによる発火など不安全になることを防ぐことができる。
【００２２】
第７の発明は、特に、第１〜６のいずれか１つの発明の電磁調理器において、複数の選択手段を備え、前記情報記憶部には、前記複数の選択手段と加熱コイルパターン情報の対応関係情報が記憶されており、前記選択手段を操作することにより、前記選択手段に対応する１つの加熱コイルパターン情報を選択することにより、使用者が誘導加熱部の位置、大きさ、数量のすくなくともいずれか１つをダイレクトに選択することが可能となり、操作回数を減らして使い勝手を向上させることができる。
【００２３】
第８の発明は、特に、第１〜６のいずれか１つの発明の電磁調理器において、１つの選択手段を操作するごとに、前記選択する加熱コイルパターン情報を切り替えることを特徴としたことにより、１つの選択手段を操作することで使用者が誘導加熱部の位置、大きさ、数量のすくなくともいずれか１つを選択することが可能となり、操作を簡単にすることができる。
【００２４】
第９の発明は、特に、第１〜８のいずれか１つの発明の電磁調理器において、インバータ部が停止している時のみ選択手段を操作可能としたことにより、加熱中に使用者が誤って選択手段を操作して加熱可能領域が変化することを防ぐことが可能となり、使用者の意向に反して鍋が加熱されてしまい、調理の失敗や空焼きによる発火など不安全になることを防ぐことが可能となり、使い勝手と安全性を向上させることができる。
【００２５】
第１０の発明は、特に、第１〜８のいずれか１つの発明の電磁調理器において、電源投入後の所定の時間の間のみ、選択手段の操作を有効とすることにより、加熱中に使用者が誤って選択手段を操作して加熱可能領域が変化して調理を失敗することを防ぐだけでなく、使用者の意図に反する鍋が加熱されて空焼きによる発火などを防ぐことが可能となり、
使い勝手と安全性を向上させることができる。
【００２６】
第１１の発明は、特に、第１〜１０のいずれか１つの発明の電磁調理器において、光表示手段を備え、前記光表示手段によりトッププレート上の加熱可能領域を表示することにより、使用者に加熱可能領域の位置、大きさ、数量を視認させることが可能となる。
【００２７】
以下、本発明の実施の形態について、図面を参照しながら説明する。なお、この実施の形態によって本発明が限定されるものではない。
【００２８】
（実施の形態１）
図１は、本発明の第１の実施の形態における電磁調理器の外観図である。図２は、本発明の第１の実施の形態における電磁調理器の回路ブロック図である。図３は、本発明の第１の実施の形態における光表示手段の構成図である。図４は、本発明の第１の実施の形態における電磁調理器１のインバータ部の回路図である。図５は、本発明の第１の実施の形態における加熱操作部の構成図である。図６は、本発明の第１の実施の形態における複数の加熱コイル７とトッププレート１０上に形成した加熱可能領域、加熱不可能領域の関係図である。図７は、本発明の第１の実施の形態における情報記憶部の記憶データを示す図である。
【００２９】
図１、２において、電磁調理器１は、２００Ｖ商用電源２より整流回路・力率改善回路などを包含するフィルタ回路部３を介して、所定のタイミングでオン・オフするスイッチング素子により所定の周波数の高周波電力を発生させるインバータ回路４と、複数のインバータ回路４からなるインバータ部５と、インバータ部５を駆動・制御する制御部６と、高周波電力により高周波磁束を発生させる複数の加熱コイル７と、略同一平面上に配置された複数の加熱コイル７からなる加熱コイル部８と、加熱コイル部に供給される出力電力を検知する出力電力検知部９（図４）と、複数の加熱コイル７の上方に配置される硬質ガラス製のトッププレート１０と、トッププレート１０の上方に配置される被加熱物１１と、使用者が出力電力または温度を調節するための複数の加熱操作部１２と、出力設定と温度と自動調理メニューなどの状態を表示する表示手段１３と、２口以上の誘導加熱部または１口の誘導加熱部の位置、大きさ、数量の少なくともいずれかを調整するために、複数の加熱コイル７のうち、通電可能な加熱コイル７と通電不可能な加熱コイル７を選定する情報である加熱コイルパターン情報を複数個記憶した情報記憶部１４と、加熱操作部１２とは異なる位置に、情報記憶部１４に記憶した複数の加熱コイルパターン情報から１つの加熱コイルパターン情報を選択する選択手段１５とを有する。
【００３０】
さらに、図３に示すように、電磁調理器１は、トッププレート１０の下方に配置される導光部１６ａと、トッププレート１０を透過する光を発生させる発光部１６ｂを有し、選択手段１５によって選択された加熱コイルパターン情報に基づいて形成される加熱可能領域の外周部をトッププレート１０上に表示させる光表示手段１６ｃを示すものである。
【００３１】
制御部６は、発光部１６ｂも制御している。そして、選択手段１５で選択された情報記憶部１４に記憶されている加熱コイルパターン情報に基づいて、制御部６は、発光部１６ｂを制御し、トッププレート１０上に加熱可能領域を表示させる。
【００３２】
また、電磁調理器１は、図２に示すように、２００Ｖ商用電源２とフィルタ回路部３を接続／切断する主電源スイッチ１７とを有している。
【００３３】
ここで、誘導加熱部とは、一つの加熱可能領域を構成する通電可能な加熱コイル７群を意味する。
【００３４】
図４に示すインバータ回路４は、第１のスイッチング素子１７と第２のスイッチング素子１８と、第１および第２のスイッチング素子１７、１８のスイッチング損失を低減するスナバコンデンサ１９と、加熱コイル７に供給する電力を検知する出力電力検知部９と、制御部６からの加熱動作・停止の信号と出力電力検知部９の検知結果を受信して第１のスイッチング素子１７と第２のスイッチング素子１８の導通比を設定する導通比設定部２０と、共振コンデンサ２１とを備えている。
【００３５】
加熱コイル７への出力電力は加熱操作部１２の操作内容に基づいて制御部６から送られてくる加熱開始、火力調整、加熱停止信号を導通比設定部２０が受信して、出力電力検知部９の検知結果と比較しながら第１のスイッチング素子１７と第２のスイッチング素子１８の導通比を設定して加熱動作を制御している。
【００３６】
通常、図２に示すように４０個の加熱コイル７を加熱するためには、４０個の整流回路・力率改善回路などを包含するフィルタ回路部３とインバータ回路４を設けて、加熱コイル７と整流回路・力率改善回路などを包含するフィルタ回路部３とインバータ回路４を１対で構成するが、本実施の形態では部品点数を削減して安価で小型な電磁調理器を供給するため、１個の整流回路・力率改善回路などを包含するフィルタ回路部に複数の加熱コイル７と１対となる複数のインバータ回路４を接続した構成としている。
【００３７】
なお、本実施の形態では加熱コイル７を４０個、インバータ回路４を４０個としているが、インバータ回路４をＮ個設ければ、Ｎ個の加熱コイルを接続することができるようになる。
【００３８】
また、１つのインバータ回路４に対して２つ以上の加熱コイル７を並列接続しても加熱することは可能であるが、個々の加熱コイル７を個別に制御することで電磁調理器の火力調節を行うことができないため、本実施の形態では図２に示す構成としている。
【００３９】
従って、本実施の形態における電磁調理器１は、第１の加熱コイル７（１）から第４０の加熱コイル７（４０）を、それぞれ第１のインバータ回路４（１）から第４０のインバータ回路４（４０）で駆動することで、個別に制御できる。
【００４０】
例えば、第１のインバータ４（１）と第２のインバータ４（２）の動作周波数やスイッチング素子のオン時間を変化させることで、第１の加熱コイル７（１）で鉄または磁性ステンレスの鍋を加熱し、第２の加熱コイル７（２）では負荷特性が鉄や磁性ステンレスと大きく異なる材質の非磁性ステンレスやアルミなどを加熱することが可能である。
【００４１】
なお、本実施の形態におけるインバータ回路４はシングルエンデッドプッシュプル方式のインバータを用いているが、ブリッジ方式のインバータを適用することもできる。本実施の形態の電磁調理器１は、情報記憶部１４としてマイクロコンピュータを用いている。
【００４２】
図５に、本発明の第１の実施の形態における電磁調理器の加熱操作部１２の構成図を示す。
【００４３】
加熱操作部１２は、各加熱可能領域に対応できるように、第１の加熱操作部１２ａ、第２の加熱操作部１２ｂ、第３の加熱操作部１２ｃの３つの操作部で構成されている。
【００４４】
各操作部は、「加熱入切」キー２２、「出力アップ」キー２３、「出力ダウン」キー２４、「調理メニュー」キー２５、「タイマー」キー２６を備えている。
【００４５】
さらに、図６に、複数の加熱コイル７と、トッププレート１０上に形成した加熱可能領
域と、加熱不可能領域の関係図を示す。
【００４６】
図６に示すように、複数の加熱コイル７を直径７０ｍｍの渦巻き型の円形状としているが、その他の形状、例えば長方形、楕円形、多角形、またはそれらの組合せとすることも可能である。
【００４７】
また、複数の加熱コイル７は横方向に８列、縦方向に５行の合計４０個としているが増減しても問題ない。さらに複数の加熱コイル７を縦横に整列した配置としているが、整列していない配置としても問題ない。
【００４８】
図７に示すように、情報記憶部１４には、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報が記憶されている。
【００４９】
以上のように構成された電磁調理器について、以下その動作、作用を説明する。
【００５０】
図８は、本発明の第１の実施の形態１における電磁調理器の加熱可能領域のパターンの変換図、図９は、本発明の実施の形態１における電磁調理器の加熱可能領域Ａ２７の下方に位置する９個の加熱コイルの電流波形図、図１０は、本発明の実施の形態１における電磁調理器の加熱可能領域Ｃ２９の下方に位置する４個の加熱コイルの電流波形図である。
【００５１】
まず、使用者が電磁調理器１の主電源スイッチ１７をオンにして２００Ｖ商用電源２とフィルタ回路部３を接続すると、図２に示す電力変換回路に通電する。このとき、制御部６は情報記憶部１４から加熱コイルパターン情報の初期値に設定されている加熱コイルパターン情報（ａ）を読み込み、制御部６は、発光部１６ｂを制御し、トッププレート１０上に、図８（ａ）に示す加熱可能領域を表示させる。
【００５２】
また、前回使用した加熱コイルパターン情報を、情報記憶部１４で加熱コイルパターン情報の初期値に設定することにより、使用頻度が高い加熱可能領域のパターンを初期パターンとすることができるようになり、使用者が毎回選択する手間を省いて使い勝手を向上させることができる。
【００５３】
本実施の形態の電磁調理器１は、トッププレート１０上の加熱操作部１２の近傍に配置された選択手段１５が使用者により操作されると、制御部６が情報記憶部１４から所定の順番で加熱コイルパターン情報を読み出して、複数の加熱コイル７のうち、通電可能な加熱コイル７と通電不可能な加熱コイル７を選定し、誘導加熱部の位置、大きさ、数量を調整し、トッププレート１０上に、使用者の希望に応じた加熱可能領域と、加熱不可能領域を形成する。
【００５４】
そして、光表示手段１６ｃ（図３）により、トッププレート上の加熱可能領域を使用者に視認させる。本実施の形態では、情報記憶部１４から、加熱コイルパターン情報を（ａ）、（ｂ）、（ｃ）、（ｄ）の順番に読み出すように設定し、制御部６は情報記憶部１４から加熱コイルパターン情報（ａ）、（ｂ）、（ｃ）、（ｄ）の順番に読み込み、制御部６は、発光部１６ｂを制御し、トッププレート１０上に、図８（ａ）、（ｂ）、（ｃ）、（ｄ）の順番に加熱可能領域を表示させる。
【００５５】
使用者は、選択手段１５によって、加熱コイルパターン情報を選定し、トッププレート１０上に表示される加熱可能領域を視認しながら調理メニューに最適なパターンを選択する。
【００５６】
つまり、選択手段１５によって、加熱コイルパターン情報を選定することにより、図８（ａ）で示す３つの加熱可能領域を形成する３つの誘導加熱部から、図８（ｂ）で示す３つの加熱可能領域を形成する３つの誘導加熱部へ、誘導加熱部の位置、大きさを調整する。また、図８（ｂ）で示す３つの加熱可能領域を形成する３つの誘導加熱部から図８（ｃ）で示す１つの加熱可能領域を形成する１つの誘導加熱部へ、誘導加熱部の位置、大きさ、数量を調整する。
【００５７】
また、図８（ｃ）で示す１つの加熱可能領域を形成する１つの誘導加熱部から図８（ｄ）で示す２つの加熱可能領域を形成する２つの誘導加熱部へ、誘導加熱部の位置、大きさ、数量を調整する。
【００５８】
使用者は、選択手段１５で選択することによって、調理メニューに最適な加熱可能領域が表示されると、使用したい加熱可能領域に鍋やフライパンなどの被加熱物１１を置いて、選択した加熱コイルパターン情報で被加熱物１１が置かれた加熱可能領域の下方に位置する複数の加熱コイル７に指示を入力可能とされた加熱操作部１２の「加熱入切」キー２２を操作して加熱を開始する。
【００５９】
図７の加熱コイルパターン情報より、図８（ａ）で示されている加熱可能領域Ａ２７を形成する誘導加熱部は第１加熱操作部１２ａで操作し、図８（ａ）で示されている加熱可能領域Ｂ２８を形成する誘導加熱部は、第３加熱操作部１２ｃで操作し、図８（ａ）で示されている加熱可能領域Ｃ２９を形成する誘導加熱部は、第２加熱操作部１２ｂで操作するとする。
【００６０】
加熱可能領域Ａ２７を形成する誘導加熱部を使用する場合、第１の加熱操作部１２ａの「加熱入切」キー２２で加熱を開始して、調理状況にあわせて「出力アップ」キー２３、「出力ダウン」キー２４、「調理メニュー」キー２５、「タイマー」キー２６を操作して調理する。
【００６１】
同様に、加熱可能領域Ｂ２８を形成する誘導加熱部を使用する場合は第３の加熱操作部１２ｃを用い、加熱可能領域Ｃ２９を形成する誘導加熱部を使用する場合は第２の加熱操作部１２ｂを用いて操作をする。
【００６２】
図８（ｃ）および（ｄ）に対応する誘導加熱部のように、誘導加熱部数が操作部数より少ない場合、第１〜３の加熱操作部１２ａ〜ｃのいずれかに割り当てればよい。
【００６３】
本実施の形態では図７に示すように、加熱コイルパターン（ｃ）の加熱可能領域Ｇは第２の加熱操作部で操作する。
【００６４】
また加熱コイルパターン（ｄ）の加熱可能領域Ｈは第１の加熱操作部で操作し、加熱可能領域Ｉは第３の加熱操作部で操作するように設定している。
【００６５】
図８（ａ）における加熱可能領域Ａ２７の下方には、図６に示すように９個の加熱コイル、加熱可能領域Ｂ２８は下方には９個の加熱コイル、加熱可能領域Ｃ２９は下方には４個の加熱コイルが位置しており、それぞれを略同時に加熱開始、火力調整、加熱停止するものである。
【００６６】
図９に、加熱可能領域Ａ２７に鉄鍋を載置し、加熱可能領域Ａ２７の下方に位置する９個の加熱コイルで加熱、停止した場合の、それぞれの加熱コイルに流れる電流波形を示す。
【００６７】
図１０に、加熱可能領域Ｃ２９にアルミ鍋を載置し、加熱可能領域Ｃ２９の下方に位置する４個の加熱コイルで加熱、停止した場合の、それぞれの加熱コイルに流れる電流波形を示す。
【００６８】
図９、図１０より１つの加熱可能領域の下方に位置する複数の加熱コイル７は略同時に加熱開始、火力調整、加熱停止していることが分かる。また、各加熱可能領域Ａ２７、Ｃ２９は被加熱物１１の材質・形状に合わせてそれぞれ独立して、異なる周波数で動作する。
【００６９】
さらに、図８（ａ）で加熱可能領域Ａ２７、Ｂ２８、Ｃ２９以外の加熱不可能領域の下方に位置する加熱コイルは通電しないため、加熱したくない鍋、フタ、ナイフなどの置き場所（退避場所）として用いることができる。
【００７０】
図８（ｂ）〜（ｃ）についても同様である。さらに光表示手段１６ｃで加熱可能領域を視認できるようにすることで、加熱したくない鍋、フタ、ナイフなどの置き場所（退避場所）が明確になっており、使用者の意向に反する鍋が加熱されて空焼きによる発火などを防ぐことが可能となり、使い勝手と安全性を向上させることができる。
【００７１】
また、光表示手段１６ｃによってトッププレート１０上に表示される少なくとも１つ以上の加熱可能領域のうち、１つ以上の加熱可能領域が加熱動作している間、すなわちインバータ部５が駆動している時は、誤って選択手段１５に触れてしまい使用者の意図に反して誘導加熱部の位置、大きさ、数量が変わらないように選択手段１５の操作を無効としている。
【００７２】
すなわち、インバータ部５が停止している時のみ選択手段１５を操作可能とすることにより、調理の失敗や意図していない鍋が空焼きされて不安全になることを防ぐことが可能となる。
【００７３】
以上のように、本実施の形態の電磁調理器１は、複数の加熱コイルのうち、通電可能な加熱コイルと通電不可能な加熱コイルを選定する情報と、かつ、通電可能と選定された加熱コイルに指示を入力可能とする複数の加熱操作部を選定する情報からなる加熱コイルパターン情報を記憶した情報記憶部１４と、選択手段１５を使用者が操作することで情報記憶部１４に記憶した複数の加熱コイルパターン情報から１つの加熱コイルパターン情報を選択することが可能となり、誘導加熱部の位置、大きさ、数量の少なくともいずれかを調整することができるだけでなく、誘導加熱部と操作部の対応関係を明確にすることができる。
【００７４】
また、本実施の形態では、誘導加熱部の位置、大きさ、数量の少なくともいずれかを調整することにより、使用者が加熱可能領域の位置、大きさ、数量の少なくともいずれかを調整することにより、使いやすい位置で被加熱物を加熱したり、使いたい被加熱物の大きさに合わせて加熱したり、使いたい被加熱物の数量に合わせて加熱することができるようになるだけでなく、加熱不可能領域の位置、大きさ、数量の少なくともいずれかを調整することにより、使用者が調整した加熱不可能領域に加熱しない被加熱物を退避させることで、使用者の意向に反して鍋が加熱されてしまい、調理の失敗や空焼きによる発火など不安全になることを防ぐことが可能となり、使い勝手と安全性を向上させることができる。
【００７５】
１つの加熱操作部で指示の入力が可能とされた加熱可能領域の下方に配置された複数の加熱コイル７を略同時に加熱動作または停止するように、制御部６は、インバータ部５を制御することにより、使用者が複数の加熱コイル７それぞれを操作する必要がなくなり、
操作回数を減らすことができる。
【００７６】
また、本実施の形態では、図７の加熱コイルパターン情報（ｃ）に示すように、１口の誘導加熱部を形成するために、全ての加熱コイル７を通電可能と選定する情報と、全ての加熱コイル７に指示を入力可能とする第２の加熱操作部１２ｂを選定する情報からなる加熱コイルパターン情報をさらに記憶したことにより、被加熱物が置載されるトッププレートの全面を加熱可能領域とすることが可能となり、大きい加熱面積が必要な調理メニュー（例えば、鉄板焼きなど）でも被加熱物の底面を均一に加熱することができるようになり、調理性能を向上することができるだけでなく、１つの操作部で全ての加熱コイル７に指示を入力可能となり、操作回数を減らして誘導加熱部と操作部の対応関係が明確にすることができる。
【００７７】
また、本実施の形態の選択手段１５の操作を、電源投入後の所定の時間の間のみ有効とすることにより、加熱中に使用者が誤って選択手段を操作して加熱可能領域が変化して調理を失敗することを防ぐだけでなく、使用者の意図に反する鍋が加熱されて空焼きによる発火などを防ぐことが可能となり、使い勝手と安全性を向上させることができる。
【００７８】
また、本実施の形態では、光表示手段１６を備え、トッププレート１０上に少なくとも１つ以上の加熱可能領域を表示することにより、使用者に加熱可能領域の位置、形状、数量を視認させることが可能となる。
【００７９】
また、本実施の形態では１つの選択手段１５を設け、選択手段１５を操作するごとに、情報記憶部１４から所定の順番で加熱コイルパターン情報を切り替えることとしたが、図１１に示すように複数の選択手段部３０を備え、情報記憶部１４には、複数の選択手段部３０と加熱コイルパターン情報の対応関係情報が記憶されており、選択手段部３０を操作することにより、選択手段部３０に対応する１つの加熱コイルパターン情報を選択することにより、使用者が誘導加熱部の位置、大きさ、数量の少なくともいずれかをダイレクトに選択することが可能となり、操作回数を減らして使い勝手を向上させることができる。
【００８０】
さらに、本実施の形態では、光表示手段１６ｃを必要な箇所だけに配置した構成としているが、図１２に示すようにトッププレート１０の下方に配置される全ての加熱コイルそれぞれの外周位置に光表示手段を設けても良い。
【００８１】
それによって、上方記憶部１４に記憶することができる加熱コイルパターン情報を増やすことが可能となり、トッププレート１０上の加熱可能領域の位置、大きさ、数量の選択肢が増えてさらに使い勝手の良い電磁調理器とすることが可能である。
【００８２】
さらに、本実施の形態では、全ての加熱コイル７を加熱可能と選定し、１口の誘導加熱部を形成するために、トッププレート１０上に図８（ｃ）に示すような１つの加熱可能領域を形成する加熱コイルパターン情報を記憶したが、一部の加熱コイル７を加熱可能と選定せず、複数の加熱コイル７のうち、通電可能な加熱コイル７と通電不可能な加熱コイル７を選定し、１口の誘導加熱部を形成するために、トッププレート上に図１３に示すような１つの加熱可能領域を形成する情報と、通電可能な加熱コイルに指示を入力可能とする１つの加熱操作部を選定する情報からなる加熱コイルパターン情報をさらに記憶してもよい。
【００８３】
それによって、加熱可能領域を大きくすることが可能となり、大きい加熱面積が必要な調理メニュー（例えば、鉄板焼きなど）でも被加熱物の底面を均一に加熱できるようになり、調理性能を向上することができるだけでなく、加熱不可能領域に加熱したくない鍋、フタ、ナイフなどを置くことができるようになり、使い勝手の向上と使用者の意向に反し
て鍋が加熱されてしまい、空焼きによる発火など不安全になることを防ぐことができるようになるだけでなく、１つの操作部で全ての加熱コイル７に指示を入力可能となり、操作回数を減らして誘導加熱部と操作部の対応関係が明確にすることができる。
【００８４】
さらに、本実施の形態では、図６に示すように４０個の加熱コイルを用いているが、情報記憶部１４の記憶している情報を図１４に示す４パターンとして、図１５に示すように６つの加熱コイルで形成してもよい。
【００８５】
それによって、加熱コイルとそれを駆動するインバータ回路４の個数が減り、電磁調理器を小型・軽量化することができる。
【００８６】
なお、本実施の形態では、加熱操作部１２は静電容量を検知するタッチキーとしているが、プッシュスイッチキーや音声キーなどで代替してもよい。
【００８７】
さらに、電力変換回路のフィルタ回路部３のあとに昇圧／降圧／昇降圧回路を備えたシステムとしてもよい。
【００８８】
また、本実施の形態における光表示手段１６ｃは発光部１６ｂにＬＥＤを用いているが、レーザーや蛍光管など異なる発光デバイスを用いてもよい。
【００８９】
さらに、本実施の形態では、トッププレート１０は全面同じ色、塗装パターンとしているが、図１６に示すように光表示手段１６ｃの上方に位置するトッププレート部分を、他のトッププレート部分よりも光が透過しやすい材質、色または塗装パターンとしたトッププレート３１としても良い。
【００９０】
それによって、光表示手段１６によってトッププレート１０上に表示される加熱可能領域の輝度が向上し、電磁調理器１の周囲が明るい場合においても使用者が視認しやすくなる。
【産業上の利用可能性】
【００９１】
以上のように、本発明にかかる電磁調理器は、通電可能な加熱コイルと通電不可能な加熱コイルの組合せパターンを選択手段で選択することが可能となり、誘導加熱部の位置、大きさ、数量を調整することができるだけでなく、誘導加熱部と操作部の対応関係を明確にすることができるので、一般家庭、オフィスだけでなくレストラン等の専門家が使用する用途にも有効である。
【符号の説明】
【００９２】
１  電磁調理器
５  インバータ部
６  制御部
７  加熱コイル
９  出力電力検知手段
１０  トッププレート
１２  複数の加熱操作部
１４  情報記憶部
１５  選択手段
１６Ｃ  光表示手段
【図１】
2011003491.tif 000003
【図２】
2011003491.tif 000004
【図４】
2011003491.tif 000005
【図９】
2011003491.tif 000006
【図１０】
2011003491.tif 000007
【図３】
2011003491.tif 000008
【図５】
2011003491.tif 000009
【図６】
2011003491.tif 000010
【図７】
2011003491.tif 000011
【図８】
2011003491.tif 000012
【図１１】
2011003491.tif 000013
【図１２】
2011003491.tif 000014
【図１３】
2011003491.tif 000015
【図１４】
2011003491.tif 000016
【図１５】
2011003491.tif 000017
【図１６】
2011003491.tif 000018